(57)【要約】【課題】  現状の座布団をそのまま利用することができ、正座姿勢を保持し易く足の痺れ等を防止することができる座布団カバーを提供すること。【解決手段】  座布団２５を出し入れする開口部４を適宜箇所に設けて当該開口部４を開放又は閉鎖するスライドファスナー６が備えられた袋状のカバー本体３の一辺側３ａに、袋状の小カバー体１０を所定間隔をおいて一体状に形成し、その小カバー体１０内に正座用布団１５を収容すると共に当該正座用布団１５部分をカバー本体３の上面に折り重ねることができるように設けた。【選択図】  図３
0003103969.tif 000002
【実用新案登録請求の範囲】
【請求項１】
座布団を出し入れする開口部を適宜箇所に設けて当該開口部を開放又は閉鎖する閉鎖部材が備えられた袋状のカバー本体の一辺側に、袋状の小カバー体を所定間隔をおいて一体状に形成し、その小カバー体内に正座用布団を収容すると共に当該正座用布団部分を前記カバー本体の上面に折り重ねることができるように設けたことを特徴とする正座用布団付座布団カバー。
【請求項２】
座布団を出し入れする開口部を適宜箇所に設けて当該開口部を開放又は閉鎖する閉鎖部材が備えられた袋状のカバー本体の一辺側に、正座用布団を収容するための袋状の小カバー体を所定間隔をおいて一体状に形成し、その小カバー体を前記カバー本体の上面に折り重ねることができるように設けたことを特徴とする座布団カバー。
【請求項３】
前記小カバー体の裏面に、滑り止め加工を施し又は滑り止め機能を有するシート部材を固着したことを特徴とする請求項１又は請求項２に記載の座布団カバー。
【請求項４】
前記正座用布団については、硬めの素材の布団部材上に軟らかい素材の布団部材を重ねるように設けられていることを特徴とする請求項１から請求項３の何れかに記載の座布団カバー。
【考案の詳細な説明】
【技術分野】
【０００１】
本考案は、正座用布団を備えた座布団カバー及び正座用布団を収容可能な座布団カバーに関するものである。
【背景技術】
【０００２】
座布団に長時間正座すると、足が痺れて正座姿勢を続けることができなり、直ぐに立ち上がれないことが生ずる。このようなときには、足の痺れや足首の痛み等を解消するために正座姿勢を止めて胡坐姿勢としたり、足を横に出したりすることが行なわれる。しかし、足を横に出したり、胡坐姿勢をすることは改まった席では礼を失する場合がある。
【０００３】
このような事情から、足の痺れを防止するための正座用座布団や正座補助具が色々提案されている。例えば、実用新案登録第３００７０４６号公報には、座布団の一端に小座布団をつなぎ部分を介して連続状に設け、その小座布団の数箇所に詰め物をしていない箇所を設けた構造の座布団が開示されている。実用新案登録第３０４６３９９号公報には、足首よりも高い位置において臀部を支持する支持部分と、足首よりも爪先部分が低くなる状態において膝から足首までの向う脛を支持する布団部分を有する正座用座布団が開示されている。また、実開平６−２６６１３号公報には、座布団状の大空気袋を充填材で被覆し、さらに伸縮性外布で被覆し、大空気袋の後方中央部上に小空気袋を載せ、両空気袋を２方コックで連通し、必要時に空気袋を膨らませて尻載せ台を形成して正座用座布団とする構造の座布団兼用正座用座布団が開示されている。
【０００４】
ホテルや家庭等では通常形態の座布団を使用しているのが一般的であり、新たに正座用の座布団を人数分だけ揃えようとすれば、相当の出費を要すると共にそれらの布団の保管スペースも確保しなければならない。このため、正座用座布団は利便性があるものの、不都合な点もあると言えよう。ところで、座布団には座布団カバーを用いることが普通に行なわれているが、座布団カバーに正座用座布団を予め備えたもの或いは別途の正座用座布団を収容するように工夫されたものは見当たらない。
【特許文献１】実用新案登録第３００７０４６号公報
【特許文献２】実用新案登録第３０４６３９９号公報
【特許文献３】実開平６−２６６１３号公報
【考案の開示】
【考案が解決しようとする課題】
【０００５】
この考案の目的は、現状の座布団をそのまま利用することができ、正座姿勢を保持し易く足の痺れ等を防止することができる座布団カバーを提供することにある。
【課題を解決するための手段】
【０００６】
請求項１に記載の考案の正座用布団付座布団カバーは、座布団を出し入れする開口部を適宜箇所に設けて当該開口部を開放又は閉鎖する閉鎖部材が備えられた袋状のカバー本体の一辺側に、袋状の小カバー体を所定間隔をおいて一体状に形成し、その小カバー体内に正座用布団を収容すると共に当該正座用布団部分を前記カバー本体の上面に折り重ねることができるように設けたことを特徴とする。
【０００７】
請求項２に記載の考案の座布団カバーは、座布団を出し入れする開口部を適宜箇所に設けて当該開口部を開放又は閉鎖する閉鎖部材が備えられた袋状のカバー本体の一辺側に、正座用布団を収容するための袋状の小カバー体を所定間隔をおいて一体状に形成し、その小カバー体を前記カバー本体の上面に折り重ねることができるように設けたことを特徴とする。
【０００８】
請求項３に記載の考案は、請求項１又は請求項２に記載の座布団カバーにおいて、前記小カバー体の裏面に、滑り止め加工を施し又は滑り止め機能を有するシート部材を固着したことを特徴とするものである。
【０００９】
請求項４に記載の考案は、請求項１から請求項３の何れかに記載の座布団カバーにおいて、前記正座用布団については、硬めの素材の布団部材上に軟らかい素材の布団部材を重ねるように設けられていることを特徴とするものである。
【考案の効果】
【００１０】
（請求項１の発明）
この正座用布団付座布団カバーは、カバー本体に収容される座布団の上に折り重ねられる正座用布団部分に臀部を支持させることにより、長時間にわたる正座姿勢を保持し易く足の痺れ等の防止に寄与する。また、カバー本体に収容する座布団については、現状の座布団をそのまま利用することができるため、製作コストが安くつき、大変経済的である。
【００１１】
（請求項２の発明）
この座布団カバーは、小カバー体に適宜の正座用布団を収容させる構成としているので、カバー本体に収容される座布団の上に折り重ねられる正座用布団部分に臀部を支持させることにより、長時間にわたる正座姿勢を保持し易く足の痺れ等の防止に寄与する。
【００１２】
（請求項３の発明）
この座布団カバーは、小カバー体の裏面に滑り止め機能が設けられているので、小カバー体に収容される正座用布団部分に臀部を乗せたときに当該布団部分がずれにくくなって正座姿勢が安定する。
【００１３】
（請求項４の発明）
この座布団カバーは、小カバー体内に収容される正座用布団を硬めの素材の上に軟らかい素材を重ねるように設けることにより、正座用布団部分に臀部を乗せたときに正座姿勢が安定すると共にソフトな感触が得られて座り心地が良好である。
【考案を実施するための最良の形態】
【００１４】
以下に、本考案の最良の形態例を図面に基づいて説明する。図１は正座用布団付座布団カバーを展開した状態で示す平面図、図２は正座用布団部分を模式的に断面にして示す説明図、図３は座布団カバーのカバー本体に収容された座布団上に正座用布団部分を折り重ねた状態を示す説明図である。
【００１５】
図１に示す本発明の正座用布団付座布団カバーＣは、カバー本体３と小カバー体１０とが所定間隔をおいて一体状に形成されている。そのカバー本体３は、平面から見て横長形状で一方の側端縁１ａを半円形とした布地１に表側となるほぼ正方形の布地２をあてがって、それらの周囲を縫い付けることにより袋状に設けられている。そのカバー本体３の一辺側３ａには、後記座布団２５を出し入れする開口部４を設け、その開口部４を開放又は閉鎖するための閉鎖部材としてのスライドファスナー６が設けられている。７はカバー本体３と小カバー体１０との間の前記布地１に縫い付けられた補強用布地である。
【００１６】
小カバー体１０は、半円形の布地８を前記布地１にあてがってそれらの周囲を縫い付けることにより袋状に設けられている。その布地８には、滑り止め機能を有するシート部材９を固着し又は合成樹脂材料を用いて点状に塗着する滑り止め加工を施す。また、その小カバー体１０の直線部分１０ａには、前記カバー本体３の開口部４に対向するように開口部１１を設け、その開口部１１を開放又は閉鎖するスライドファスナー１３を設ける。
【００１７】
図２に示すように、小カバー体１０の内部には、硬めの素材の布団部材１６の上に軟らかい素材の布団部材２０を重ねてなる正座用布団１５が収容されている。その布団部材１６については、内部を空洞に形成したプラスチック製ボール１８又はプラスチック製パイプ、プラスチック製粒状物、小石や小型タイル等の何れかのものを流動し易く袋１７に充填する。また、その布団部材２０については、綿２２又はポリウレタンチップ、羽毛、低反発ウレタンフォームチップ等の何れかのものを袋２１に充填する。
【００１８】
以上により、正座用布団１５を収容した小カバー体１０をカバー本体３の上面に折り重ねることができる正座用布団付座布団カバーＣが構成される。
【００１９】
図３には、本発明の座布団カバーＣのカバー本体３に収容された座布団２５の上に、小カバー体１０に収容された正座用布団１５部分を折り重ねた状態を示す。
しかして、その座布団カバーＣの正座用布団１５部分に臀部を乗せて足の部分を座布団２５で支持させることにより、正座姿勢を保持し易く、足の痺れや足首の痛みを防止することができる。
【００２０】
以上に述べた通り、この正座用布団付座布団カバーによれば、カバー本体に収容される座布団の上に折り重ねられる正座用布団部分に臀部を支持させることにより、正座姿勢時における足の痺れ等を防止することができる。
【図面の簡単な説明】
【００２１】
【図１】正座用布団付座布団カバーを展開した状態で示す平面図
【図２】正座用布団部分を模式的に断面にして示す説明図
【図３】座布団カバーのカバー本体に収容された座布団上に正座用布団部分を折り重ねた状態を示す説明図
【符号の説明】
【００２２】
Ｃ・・・正座用布団付座布団カバー
３・・・カバー本体  ３ａ・・・一辺側
４・・・開口部
６・・・スライドファスナー
９・・・滑り止め機能を有するシート部材
１０・・・小カバー体
１１・・・開口部
１３・・・スライドファスナー
１５・・・正座用布団
１６・・・硬めの素材の布団部材
２０・・・軟らかい素材の布団部材
２５・・・座布団
【図１】
0003103969.tif 000003
【図２】
0003103969.tif 000004
【図３】
0003103969.tif 000005